【事件の表示】
　商願２０１４−２３４０６拒絶査定不服審判事件について、次のとおり審決する。
【結　論】
　原査定を取り消す。
　本願商標は、登録すべきものとする。
【理　由】
１　本願商標
　本願商標は、「２ｃｈ」の文字を標準文字で表してなり、第３８類「電子掲示板による通信及びこれに関する情報の提供，インターネット利用のチャットルーム形式による電子掲示板通信及びこれに関する情報の提供」及び第４２類「インターネット又は移動体通信端末による通信を利用した電子掲示板用のサーバの記憶領域の貸与及びこれに関する情報の提供，インターネット又は移動体通信端末による通信を利用した電子掲示板へのアクセスのためのコンピュータープログラムの提供及びこれに関する情報の提供」を指定役務として、平成２６年３月２７日に登録出願されたものである。
　
２　原査定の拒絶の理由の要点
　原査定は、「本願商標は、『２ｃｈ』の文字からなるところ、これは、『電子掲示板による通信及びこれに関する情報の提供，インターネット利用のチャットルーム形式による電子掲示板通信及びこれに関する情報の提供，インターネット又は移動体通信端末による通信を利用した電子掲示板用のサーバの記憶領域の貸与及びこれに関する情報の提供，インターネット又は移動体通信端末による通信を利用した電子掲示板へのアクセスのためのコンピュータープログラムの提供及びこれに関する情報の提供』等について使用され、取引者又は需要者の間に広く知られている電子掲示板の名称『２ちゃんねる』の著名な略称『２ｃｈ』と同一又は類似のものである。そして、該電子掲示板は、『２ｃｈ．ｎｅｔ』のドメイン名として広く知られており、現在は、『Ｒａｃｅ　Ｑｕｅｅｎ，Ｉｎｃ』が、『２ｃｈ．ｎｅｔ』のドメイン名を用いて、該電子掲示板『２ちゃんねる』を運営していることが確認できる。以上のことから、本願商標は、『Ｒａｃｅ　Ｑｕｅｅｎ，Ｉｎｃ』の業務に係る上記役務を表示するものとして、需要者の間に広く認識されている商標『２ちゃんねる』と同一又は類似のものであり、かつ、本願商標は、前記役務と同一又は類似の役務に使用するものである。したがって、本願商標は、商標法第４条第１項第１０号に該当する。」旨認定、判断し、本願を拒絶したものである。
　
３　当審の判断
（１）本願商標及び「２ｃｈ」の周知性について
　本願商標は、「２ｃｈ」の文字を標準文字で表してなるところ、該文字については、以下に示すような情報がある。
ア　知恵蔵２００７年版（朝日新聞社　２００７年１月１日発行）によれば、「２ちゃんねる」の見出しのもと、「インターネット上の巨大な掲示板。１９９９年、西村博之が開設。時事ネタからアンダーグラウンドな話題まで、ありとあらゆることを匿名で語り合える場として人気を博し、インターネット内のみならず、世論にも少なからぬ影響力を持つ存在になってきた。正確な利用者数は定かではないが、書き込まず、見ているだけの人まで含めれば、数百万人に上ると見られる。その巨大さ・匿名性ゆえに、誹謗中傷などの問題が発生することもある。」の記載がある。
イ　現代用語の基礎知識２０１１年版（自由国民社　２０１１年１月１日発行）によれば、「２ちゃんねる／２ちゃん／２ｃｈ」の見出しのもと、「提携サイトまで含めると８００を越える種々雑多の掲示板サイト。『板（いた）』とも呼ばれる各掲示板には、さらに多数の『スレッド／スレ』（同じ話題に関する一連の流れ）が含まれる。基本的には誰でも匿名で投稿できる。・・・２ちゃんねる自体はニワンゴの取締役にも名前を連ねる西村博之（ひろゆき）が開設し、管理人として公開していたが、２００９年に『ＰＡＣＫＥＴ　ＭＯＮＳＴＥＲ　ＩＮＣ．』という会社に管理が譲渡された。」との記載がある。
ウ　「大辞泉」（株式会社小学館発行、２０１２年１１月７日第二版第一刷）によれば、「２ちゃんねる」の見出しの下、「日本最大規模の電子掲示板（ＢＢＳ）サイト。平成１１年（１９９９）に西村博之が開設。ニュース、世界情勢、趣味、芸能、ゲームなど、分野別に数百の掲示板が設けられ、それぞれ話題別に細分されたスレッドからなる。匿名での投稿が基本であり、独特な言い回しや隠語が多用される。２ちゃん。２ｃｈ。」の記載がある。
　以上のことから、「２ちゃんねる」は、１９９９年に請求人である西村博之氏が開設した電子掲示板の名称であって、「２ｃｈ」とも略称されること、そして、２００９年には、「ＰＡＣＫＥＴ　ＭＯＮＳＴＥＲ　ＩＮＣ．」（以下「パケットモンスター社」という。）に譲渡されたことが確認できるものである。
　そして、原審における平成２６年７月２８日受付けの意見書により提出した甲第７号証ないし甲第８号証及び不服２０１５−３７３５拒絶査定不服審判事件における同２７年１２月１８日受付の請求人の回答書により提出した甲第６号証ないし甲第１１号証によれば、該パケットモンスター社は、シンガポール国における法人登記の代行業者により、形式的に設立された法人であって、実質的には請求人が管理する法人といえるものである（職権調査）。
　他方、２０１４年（平成２６年）４月１１日付け「産経新聞東京朝刊６頁」によれば、「今年２月、実質的な管理人が、これまでサーバー管理などを行っていた人物に移った」とされているところ（平成２６年６月１２日付け拒絶理由中（６））、該「２ちゃんねる」の２０１４年（平成２６年）３月５日のトップページにおいて、「Ｒａｃｅ　Ｑｕｅｅｎ，Ｉｎｃ」（以下「レースクィーン社」という。）の記載がある（甲３の１ないし甲３の２）ことから、少なくとも該日付以降においては、「レースクィーン社」が、「２ｃｈ．ｎｅｔ」のドメイン名の「２ちゃんねる」の管理人ということができる。
　さらに、請求人は、「２ｃｈ．ｓｃ」のドメイン名で、電子掲示板「２ちゃんねる」の運営を平成２６年（２０１４年）４月に開始したことがうかがえるものであり、「２ｃｈ．ｎｅｔ」の掲示板を開設した請求人が、新たに、「２ｃｈ」の文字を含む電子掲示板を開設したことも相まって、かかる実情は、電子掲示板を利用する一定程度の取引者、需要者においては、知られているものといえる（平成２６年４月２４日付け刊行物提出書（０３））。
　そうすると、本願商標の登録出願時において、電子掲示板「２ちゃんねる」の略称である「２ｃｈ」の文字は、レースクィーン社が使用しているものである。
　しかしながら、仮に、平成２６年２月にレースクィーン社が「２ｃｈ」の文字の使用を開始したとしても、本願商標の登録出願日が、同年３月２７日であり、請求人の「２ｃｈ．ｓｃ」の使用開始が、同年４月であることから、そのレースクィーン社が使用していた期間は僅かであって、そうすると、「２ｃｈ」の周知性は、該レースクィーン社が唯一獲得しているものということができない。
　そうとすれば、本願の指定役務を取り扱う業界においては、「２ｃｈ」の文字が獲得している周知性は、該掲示板の開設から本願商標の登録出願時においては、請求人が運営していたときによるものとしての割合が相当程度高いといえるものである。
　してみれば、本願商標の登録出願時である平成２６年３月２７日若しくは査定時及び審決時においては、「２ｃｈ」の文字が、他人の業務に係る役務を表示する商標として、需要者の間に広く認識されているものということができない。
（２）商標法第４条第１項第１０号該当性について
　本願商標が商標法第４条第１項第１０号に該当するというためには、本願商標の登録出願時及び審決時に、「２ｃｈ」の文字が他人の業務に係る商品若しくは役務を表示するものとして、我が国の需要者の間に広く認識されていることが要件の一つと解されるものであるところ、上記（１）に記載のとおり「２ｃｈ」の文字は、他人の業務に係る役務を表示する商標として需要者の間に広く認識されているものということができない。
　したがって、本願商標と、レースクィーン社が電子掲示板について使用する「２ｃｈ」とが類似するとしても、本願商標は、商標法第４条第１項第１０号に該当するものではない。
（３）まとめ
　以上のとおり、本願商標が商標法第４条第１項第１０号に該当するとして、本願を拒絶した原査定は、取消しを免れない。
　その他、本願について拒絶の理由を発見しない。
　よって、結論のとおり審決する。